(57)【要約】【課題】外光によるコントラストの低下を防止できるプリズムシート、及び、これを備えた透過型スクリーン、背面投射型表示装置を提供する。【解決手段】シートの外部であり、シート面の中央を通る直線上に位置する点Ｐを中心点として、入射面１１１ａ−１と全反射面１１１ａ−２とを備えた単位プリズム形状１１１ａを同心円状に多数配列し、単位プリズム形状１１１ａ間に第３の面１１１ａ−３が形成されたプリズムシート１１０とすることにより実現した。第３の面１１１ａ−３は、単位プリズム形状１１１ａ間であって、映像光Ｌが通過しない領域に形成されている。【選択図】図６
2008122621.tif 000002
【特許請求の範囲】
【請求項１】
光が入射する入射面と、前記入射面から入射した光の少なくとも一部を全反射する全反射面とを備える単位プリズム形状が入射側に多数配列され、
隣接する前記単位プリズム形状間に形成された第３の面を有すること、
を特徴とするプリズムシート。
【請求項２】
請求項１に記載のプリズムシートにおいて、
前記第３の面は、前記全反射面側の端部が前記入射面側の端部よりも出射側となるように傾斜していること、
を特徴とするプリズムシート。
【請求項３】
請求項１又は請求項２に記載のプリズムシートにおいて、
前記単位プリズム形状は、シートの外部に位置する点を中心点として同心円状に配列されており、
前記第３の面は、前記中心点側の端部が反対側の端部よりも出射側となるように傾斜していること、
を特徴とするプリズムシート。
【請求項４】
請求項３に記載のプリズムシートにおいて、
前記中心点は、使用状態におけるシートの上方に位置すること、
を特徴とするプリズムシート。
【請求項５】
請求項１から請求項４までのいずれか１項に記載のプリズムシートと、
前記プリズムシートより出射側に設けられ、光を拡散する拡散部と、
を備える透過型スクリーン。
【請求項６】
請求項５に記載の透過型スクリーンと、
前記透過型スクリーンに映像光を投射する光源部と、
を備える背面投射型表示装置。
【請求項７】
請求項６に記載の背面投射型表示装置において、
前記映像光は、前記透過型スクリーンに対して、スクリーン面の中心を通る法線よりも上方から入射すること、
を特徴とする背面投射型表示装置。
【請求項８】
請求項６又は請求項７に記載の背面投射型表示装置において、
前記第３の面は、前記入射面の前記映像光が入射する領域及び前記全反射面の前記映像光が全反射する領域よりも出射側に形成されており、前記映像光が通過しないこと、
を特徴とする背面投射型表示装置。
【発明の詳細な説明】
【技術分野】
【０００１】
本発明は、投射された映像光を観察面側に出射して観察可能に表示する透過型スクリーンに用いられるプリズムシート、及び、これを用いた透過型スクリーン、背面投射型表示装置に関するものである。
【背景技術】
【０００２】
従来、リアプロジェクションテレビ等の背面投射型表示装置では、光源からスクリーンまでの必要な投射距離を確保するために、光源から投射された映像光をミラーで反射させてスクリーンに投射するという手法が用いられている。
近年、薄型テレビの普及に伴い、リアプロジェクションテレビ等の背面投射型表示装置の薄型化が要求されるようになり、薄型化を実現するために、スクリーンの下方に配置された光源から投射される映像光の主光軸が、スクリーン面の法線と角度をなし、従来の背面投射型表示装置に使用される投射光学系よりも映像光のスクリーン面への入射角度が大きい偏心投射光学系が用いられるようになった。
【０００３】
このような偏心投射光学系を用いた場合、背面投射型表示装置を薄型化するにしたがい、スクリーンの中央を通る法線と、このスクリーンの中央に入射する映像光の主光軸とがなす角度が大きくなる。従来のリアプロジェクションテレビでは、映像光を投射する光源は、スクリーンの下方に配置され、映像光を下方から斜めに投射するため、リアプロジェクションテレビの筐体の下部が大きくなり、デザイン性が損なわれるという問題があった。そのため、投射距離を保ちつつ、リアプロジェクションテレビのデザイン性を向上させるために、光源から投射される映像光をミラー等で反射させ、スクリーンに対して上方から斜めに投射する形態としたいという要望があった。
【０００４】
また、偏心投射光学系を使用した場合、スクリーン面への映像光の入射角度は、従来よりも大きくなる。従って、映像光が、そのような大きな入射角度で入射した場合にも、スクリーン面の法線方向に出射可能とするために、背面投影スクリーンの入射面側に、全反射面を有し円弧状に延在する多数のプリズムを同心円状に配置して構成されたプリズム群を設けることが知られている（特許文献１参照）。
しかし、特許文献１に記載のプリズム群を備えた背面投影スクリーンを用いて、背面投影スクリーンに上方から映像光を投射するリアプロジェクションテレビとした場合には、背面投影スクリーンの観察面側の上方から、照明光等の不要な光（以下、外光と呼ぶ）が入射すると、外光の一部が個々のプリズムの各面で屈折した後に観察面側に出射され、映像のコントラストが低下するという問題があった。
【０００５】
【特許文献１】特開昭６１−２０８０４１号公報
【発明の開示】
【発明が解決しようとする課題】
【０００６】
本発明の課題は、外光によるコントラストの低下を防止できるプリズムシート、及び、これを備えた透過型スクリーン、背面投射型表示装置を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、光が入射する入射面（１１１ａ−１）と、前記入射面から入射した
光の少なくとも一部を全反射する全反射面（１１１ａ−２）とを備える単位プリズム形状（１１１ａ）が入射側に多数配列され、隣接する前記単位プリズム形状間に形成された第３の面（１１１ａ−３）を有すること、を特徴とするプリズムシート（１１０）である。
請求項２の発明は、請求項１に記載のプリズムシートにおいて、前記第３の面（１１１ａ−３）は、前記全反射面（１１１ａ−２）側の端部が前記入射面（１１１ａ−１）側の端部よりも出射側となるように傾斜していること、を特徴とするプリズムシート（１１０）である。
請求項３の発明は、請求項１又は請求項２に記載のプリズムシートにおいて、前記単位プリズム形状（１１１ａ）は、シートの外部に位置する点を中心点（Ｐ）として同心円状に配列されており、前記第３の面（１１１ａ−１）は、前記中心点側の端部が反対側の端部よりも出射側となるように傾斜していること、を特徴とするプリズムシート（１１０）である。
請求項４の発明は、請求項３に記載のプリズムシートにおいて、前記中心点（Ｐ）は、使用状態におけるシートの上方に位置すること、を特徴とするプリズムシート（１１０）である。
請求項５の発明は、請求項１から請求項４までのいずれか１項に記載のプリズムシート（１１０）と、前記プリズムシートより出射側に設けられ、光を拡散する拡散部（１２０，２２０）と、を備える透過型スクリーン（１００，２００）である。
請求項６の発明は、請求項５に記載の透過型スクリーン（１００，２００）と、前記透過型スクリーンに映像光（Ｌ）を投射する光源部（２０）と、を備える背面投射型表示装置（１）である。
請求項７の発明は、請求項６に記載の背面投射型表示装置において、前記映像光（Ｌ）は、前記透過型スクリーン（１００，２００）に対して、スクリーン面の中心を通る法線よりも上方から入射すること、を特徴とする背面投射型表示装置（１）である。
請求項８の発明は、請求項６又は請求項７に記載の背面投射型表示装置において、前記第３の面（１１１ａ−３）は、前記入射面（１１１ａ−１）の前記映像光（Ｌ）が入射する領域及び前記全反射面（１１１ａ−２）の前記映像光が全反射する領域よりも出射側に形成されており、前記映像光が通過しないこと、を特徴とする背面投射型表示装置（１）である。
【発明の効果】
【０００８】
本発明によれば、以下の効果を奏することができる。
（１）プリズムシートは、光が入射する入射面と、入射面から入射した光の少なくとも一部を全反射する全反射面とを備える単位プリズム形状が入射側に多数配列され、隣接する単位プリズム形状間に形成された第３の面を有するので、大きな入射角度で入射した光をシート面の法線方向へ出射することができ、かつ、出射側から入射した外光のうち、単位プリズム形状の全反射面で反射して出射側へ戻る外光を低減させることができ、コントラストを向上できる。
【０００９】
（２）第３の面は、全反射面側の端部が入射面側の端部よりも出射側となるように傾斜しているので、出射側から入射した外光を出射側へ戻すことなく、入射側へ出射させることができる。
【００１０】
（３）単位プリズム形状は、シートの外部に位置する点を中心点として同心円状に配列されており、第３の面は、中心点側の端部が反対側の端部よりも出射側となるように傾斜しているので、入射した光をシート面の法線方向へ出射させることができる。
【００１１】
（４）中心点は、使用状態におけるシートの上方に位置するので、入射面に対して上方から大きな入射角度で入射する光を、シート面の法線方向へ向けて出射することができ、また、出射側のシート面に対して上方から入射した外光が全反射面で反射して再び出射側へ
出射することを防止できる。
【００１２】
（５）本発明によるプリズムシートと、プリズムシートより出射側に設けられ、光を拡散する拡散部とを備える透過型スクリーンであるので、出射側から入射する外光が、再び出射側へ出射して表示される映像光のコントラストが低下することを防止でき、良好な映像を表示できる。
【００１３】
（６）本発明による透過型スクリーンと、透過型スクリーンに映像光を投射する光源部とを備える背面投射型表示装置であるので、外光によるコントラストの低下がなく、良好な映像を表示できる。
【００１４】
（７）映像光は、透過型スクリーンに対して、スクリーン面の中心を通る法線よりも上方から入射するので、外光によってコントラストを低下させることなく、リアプロジェクションテレビの筐体の透過型スクリーンの下部となる部分を小さくでき、デザイン性の良好な、高品位な背面投射型表示装置とすることができる。
【００１５】
（８）第３の面は、入射面の映像光が入射する領域及び全反射面の映像光が全反射する領域よりも出射側に形成されており、映像光が通過しないことを特徴とするので、映像光の光量を損失することなく、外光によるコントラストの低下を防止でき、明るく、コントラストも良好な映像を表示できる。
【発明を実施するための最良の形態】
【００１６】
本発明は、外光による映像のコントラストの低下を防止できるプリズムシート、及び、これを備えた透過型スクリーン、背面投射型表示装置を提供するという目的を、シートの外部であり、シートの中央を通る直線上に位置する点Ｐを中心点として、入射面と全反射面と第３の面とを備えた単位プリズム形状を同心円状に多数配列することにより実現した。
【実施例１】
【００１７】
図１は、実施例１のリアプロジェクションテレビ１を示す図である。
本実施例のリアプロジェクションテレビ１は、透過型スクリーン１００，光源装置２０，ミラー部３０等を備えた背面投射型表示装置である。本実施例のリアプロジェクションテレビ１では、ＤＭＤ（Digital Micromirror Device）を用いた単管方式の光源装置２０から投射された映像光Ｌは、ミラー部３０によって透過型スクリーン１００に投射され、映像が表示される。
また、本実施例のリアプロジェクションテレビ１は、透過型スクリーン１００に対して、映像光Ｌが上方から斜めに入射する偏心投射光学系を用いている。
なお、図１中に、破線で示す光源装置２１は、本実施例のリアプロジェクションテレビ１において、ミラー部３０等で映像光Ｌを反射させないで透過型スクリーン１００に投射する場合に想定される位置に配置された仮想の光源装置である。本実施例のリアプロジェクションテレビ１では、ミラー部３０で映像光Ｌを反射することにより、光源装置２０から映像光Ｌを投射しても、光源装置２１から投射した場合と同様の投射距離、入射角度等で映像光Ｌを透過型スクリーン１００に入射させることができる。
【００１８】
図２は、実施例１の透過型スクリーン１００の斜視図である。なお、理解を容易にするために、図２において、光源装置２０は、ミラー部３０等で映像光Ｌを反射させないで透過型スクリーン１００に投射する場合に想定される仮想の光源装置２１の位置に示してある。
本実施例の透過型スクリーン１００は、プリズムシート１１０と、レンチキュラーレンズシート１２０とを備えている。
プリズムシート１１０は、映像光Ｌの光源側（入射側）に設けられ、光源側の面に単位プリズム形状１１１ａが多数配列されている。本実施例では、プリズムシート１１０は、光透過性を有するポリエチレンテレフタレート（ＰＥＴ）樹脂を用いて形成されたシート状の部材を基材層１１２とし、基材層１１２の入射側の面に単位プリズム形状１１１ａを多数配列して形成されたプリズム層１１１が形成された形態となっている。
【００１９】
図３は、プリズム層１１１の断面図である。
単位プリズム形状１１１ａは、紫外線硬化型樹脂を用いて形成され、入射面１１１ａ−１、全反射面１１１ａ−２を有し、隣接する単位プリズム形状間に第３の面１１１ａ−３が形成されている。単位プリズム形状１１１ａは、透過型スクリーン１００の使用状態における垂直方向に平行、かつ、スクリーンの法線に平行な方向の断面での断面形状が略三角形状である。
この単位プリズム形状１１１ａは、図２に示すように、プリズムシート１１０の外部に位置する点Ｐを中心として、同心円状に配列されている。この点Ｐは、プリズムシート１１０のシート面の延長上であって、プリズムシート１１０の水平方向の幅の中央を通り、プリズムシート１１０の使用状態における垂直方向（上下方向）に伸びる直線上にあり、本実施例では、プリズムシート１１０の上方に位置している。
【００２０】
図３に戻って、入射面１１１ａ−１は、光が入射する面であり、本実施例では、単位プリズム形状１１１ａの上側（透過型スクリーン１００の使用状態における上方側）の面である。全反射面１１１ａ−２は、入射面１１１ａ−１から入射した光の少なくとも一部を全反射する面であり、本実施例では、単位プリズム形状１１１ａの下側（透過型スクリーン１００の使用状態における下方側）の面である。
第３の面１１１ａ−３は、隣接する単位プリズム形状の間の観察面側（出射側）に凹となった谷部分に形成された面である。この第３の面１１１ａ−３は、入射面１１１ａ−１側の端部よりも隣接する単位プリズム形状１１１ａの全反射面１１１ａ−２側の端部の方が観察面側となるように、つまり、第３の面１１１ａ−３の点Ｐ側（第３の面１１１ａ−３の上側）の端部が反対側（第３の面１１１ａ−３の下側）の端部よりも観察面側となるように傾斜している。
本実施例の単位プリズム形状１１１ａでは、第３の面１１１ａ−３は、図３に示すように、単位プリズム形状１１１ａ間の入射面１１１ａ−１と全反射面１１１ａ−２との谷部分を埋めるように形成されている。
本実施例では、単位プリズム形状のレンズ角α＝５３．３°、頂角β＝４５°、配列されるピッチＷ＝０．１１２ｍｍである。
【００２１】
レンチキュラーレンズシート１２０は、図２に示すように、プリズムシート１１０より観察面側に設けられた光学シートであり、映像光を拡散する作用を有する拡散部である。
レンチキュラーレンズシート１２０は、レンズ層１２１，支持層１２２等を有しており、主に透過型スクリーン１００の使用状態における水平方向に光を拡散する作用を有する。
レンズ層１２１は、単位レンズ１２１ａ，光吸収層１２１ｂを有している。
単位レンズ１２１ａは、断面に略楕円形状の一部を有し、光源側（入射側）に突出した形状であり、その長手方向が透過型スクリーン１００の垂直方向に一致し、水平方向に多数配列されている。光吸収層１２１ｂは、レンズ層１２１の観察面側（出射側）の面の映像光の通過しない領域に、透過型スクリーン１００の垂直方向に延在して縞状に形成されている。
支持層１２２は、レンズ層１２１を支持するための層であり、本実施例では、ＰＥＴ樹脂を用いたシート状の部材である。支持層１２２とレンズ層１２１とは、不図示の接合層によって接合されて一体となっている。なお、本実施例では、支持層１２２は、ＰＥＴ樹脂を用いて形成される例を示したが、これに限らず、例えば、アクリル樹脂やＭＳ（メタ
クリレート−スチレン）樹脂等を用いて形成してもよい。
【００２２】
図４は、実施例１のプリズムシート１１０，比較例のプリズムシート３１０に入射する映像光の進み方を示す図である。図４（ａ）は、比較例のプリズムシート３１０に入射する映像光の進み方を示す図であり、図４（ｂ）は、実施例１のプリズムシート１１０に入射する映像光の進み方を示す図である。
ここで、本実施例のプリズムシート１１０と比較例のプリズムシート３１０とを用意し、入射する映像光の進み方を比較した。本実施例のプリズムシート１１０及び比較例のプリズムシート３１０に投射された映像光は、各プリズムシートのシート面に対して、入射角度７０°で入射する場合を示している。
比較例のプリズムシート３１０は、本実施例のプリズムシート１１０と略同様の形状であり、基材層３１２と単位プリズム形状３１１ａが多数配列されたプリズム層３１１とを有するが、隣接する単位プリズム形状３１１ａ間に第３の面が形成されていない点が異なる。従って、本実施例と同様の機能を果たす部分には、同一の符号又は末尾に同一の符号を付して、重複する説明を適宜省略する。なお、比較例のプリズムシート３１０の単位プリズム形状３１１ａが配列されるピッチは、本実施例のプリズムシート１１０と同様である。
【００２３】
図４に示すように、本実施例のプリズムシート１１０，比較例のプリズムシート３１０ともに、入射面１１１ａ−１，３１１ａ−１に入射した映像光Ｌは、全反射面１１１ａ−２，３１１ａ−２で全反射され、スクリーン面（シート面）の法線方向に出射している。
図４（ｂ）に示すように、このとき、本実施例のプリズムシート１１０に入射した映像光Ｌは、第３の面１１１ａ−３には入射しておらず、かつ、入射面１１１ａ−１から入射した映像光Ｌは、第３の面１１１ａ−３では全反射していない。そのため、第３の面を設けたことによる映像光への影響はない。
【００２４】
次に、本実施例のプリズムシート１１０及び比較例のプリズムシート３１０に入射する外光について比較する。
図５は、比較例のプリズムシート３１０に入射した外光の進み方を示す図である。
図６は、実施例１のプリズムシート１１０に入射した外光の進み方を示す図である。
図５，図６は、比較例のプリズムシート３１０，実施例１のプリズムシート１１０の観察面側から、各シート面に対して、上方から入射角度７０度で外光を入射させたときの外光の進み方を示している。
なお、透過型スクリーンとしては、各プリズムシートの観察面側にレンチキュラーレンズシート１２０が設けられるが、理解を容易にするために、各プリズムシートのみを用いてシミュレーションした。レンチキュラーレンズシート１２０は、透過型スクリーン１００の使用状態における主に水平方向に光を拡散する作用を有しているが、垂直方向へは作用しない。従って、入射角度７０°で透過型スクリーン１００の観察面側から入射した光は、略その角度を保ったまま、各プリズムシートに入射すると考えてよい。
【００２５】
図５に示すように、比較例のプリズムシート３１０の観察面側上方から入射角度７０°で入射した外光Ｇは、一部は単位プリズム形状３１１ａの全反射面３１１ａ−２から出射し（外光Ｇ１）、その一部は再び隣接する単位プリズム形状３１１ａの入射面３１１ａ−１に入射して全反射面３１１ａ−２から光源側へ出射する（外光Ｇ２）。しかし、比較例のプリズムシート３１０に入射した外光Ｇの一部は、単位プリズム形状３１１ａの全反射面３１１ａ−２から出射し、隣接する単位プリズム形状３１１ａに入射，出射を数回繰り返した後に、全反射面３１１ａ−２で全反射して観察面側へ出射する（外光Ｇ３）。
通常、リアプロジェクションテレビの筐体内は黒色等に着色されたり、黒色等の起毛が貼付されたりしているため、比較例のプリズムシート３１０の光源側へ出射した外光Ｇ１，Ｇ２は、吸収される。しかし、観察面側へ出射した外光Ｇ３は、レンチキュラーレンズ
シート１２０を透過して、観察者側へ到達してしまう。
【００２６】
そのため、この比較例のプリズムシート３１０と本実施例と同様のレンチキュラーレンズシート１２０とを組み合わせて透過型スクリーンとし、リアプロジェクションテレビに用いて実際に照明光等の外光が存在する状況で観察したところ、このような外光Ｇ３によって、表示される映像のコントラストが損なわれていた。
【００２７】
一方、図６に示すように、本実施例のプリズムシート１１０では、観察面側から入射角度７０°で入射した外光Ｇは、全反射面１１１ａ−２から光源側に出射し、一部はそのまま筐体内で吸収され（外光Ｇ４）、一部は隣接する単位プリズム形状１１１ａの入射面１１１ａ−１へ入射し、その単位プリズム形状１１１ａの全反射面１１１ａ−２から光源側へ再び出射して、リアプロジェクションテレビ１の筐体内で吸収される（外光Ｇ５）。そして、比較例のプリズムシート３１０で生じたような、観察面側へ出射する外光は、発生しない。
これは、第３の面１１１ａ−３を設けたことにより、全反射面１１１ａ−２の観察面側（単位プリズム形状１１１ａの谷部側）から出射した外光が、隣接する単位プリズム形状１１１ａの入射面１１１ａ−１に入射することなく光源側へ出射することができ、全反射面１１１ａ−２の最も観察面側から出射した外光が、隣接する単位プリズム形状１１１ａに入射した場合にも、その単位プリズム形状１１１ａの光源側へ入射し、かつ、全反射面１１１ａ−２に対して臨界角以下の小さな角度で入射して全反射せずに光源側へ出射するからである。
【００２８】
そのため、プリズムシート１１０の観察面側から入射した外光Ｇは、リアプロジェクションテレビ１の筐体内へと出射され、筐体内の黒色塗料や起毛等で吸収される。
よって、プリズムシート１１０を備えた本実施例の透過型スクリーン１００及びリアプロジェクションテレビ１では、照明光等の外光によって映像のコントラストが低下することなく、明るく、コントラストの良好な鮮明な映像が得られた。
【００２９】
以上説明したように、本実施例によれば、照明光等の上方からの外光が入射した場合にも、映像のコントラストを良好に保ち、鮮明な映像を表示できる。
また、第３の面は、映像光が通過しないので、光源部から投射された映像光をシート面の略法線方向へ出射させることができ、映像光の光路を妨げたり出射方向に影響を与えたりすることがない。従って、映像光の光量を損なうことなく明るい映像を表示できる。
さらに、リアプロジェクションテレビの薄型化、デザイン性向上を図ることができる。
【実施例２】
【００３０】
図７は、実施例２の透過型スクリーン２００を示す斜視図である。
実施例２の透過型スクリーン２００は、実施例１に示したプリズムシート１１０の観察面側に、光を拡散する拡散部として拡散光学層２２２を有する拡散光学シート２２０が積層されており、１枚のスクリーンとして構成されている点等が異なる。従って、前述の実施例１と同様の機能を果たす部分には同一の記号を付して、重複する説明を適宜省略する。
実施例２の透過型スクリーン２００は、プリズムシート１１０，拡散光学シート２２０，プリズムシート１１０と拡散光学シート２２０とを接合する接合層２３０、支持板２４０等を有している。
【００３１】
図８は、拡散光学シート２２０を説明する図である。図８（ａ）は、拡散光学シート２２０を観察面側から見た斜視図であり、図８（ｂ）は、図８（ａ）中に示す矢印ＡＡでの断面図である。
拡散光学シート２２０は、拡散光学層２２２と、拡散光学層２２２を形成する基材とな
る基材層２２１とを有している。基材層２２１は、実施例１のプリズムシート１１０に用いた基材層１１２と同様に、ＰＥＴ樹脂を用いて形成されたシート状の部材である。
拡散光学層２２２は、基材層２２１の観察面側に形成され、単位光学形状２２２ａと光吸収部２２２ｂとが、スクリーン面に沿って透過型スクリーンの垂直方向に交互に多数配列され、形成されている。
【００３２】
単位光学形状２２２ａは、紫外線硬化型樹脂を用いて形成され、その断面形状が略台形形状であって、観察面側に突出した形状である。単位光学形状２２２ａは、その長手方向がスクリーンの垂直方向と一致し、スクリーンの水平方向に多数配列されている。
なお、本実施例では、単位光学形状２２２ａは、紫外線硬化型樹脂を用いて形成される例を示したが、これに限らず、電離放射線硬化型樹脂等の他の光硬化型樹脂を用いてもよいし、光透過性を有する熱可塑性樹脂等を用いてもよい。
光吸収部２２２ｂは、光を吸収する作用を有し、単位光学形状２２２ａよりも屈折率が低く、黒色等に着色された紫外線硬化型樹脂用いて、単位光学形状２２２ａ間に形成されている。
【００３３】
接合層２３０は、拡散光学シート２２０とプリズムシート１１０とを一体に接合する層である。この接合層２３０は、感圧粘着型のアクリル樹脂により形成され、その厚さは２０μｍである。なお、本実施例では、接合層２３０は、感圧粘着型のアクリル樹脂としたが、例えば、アクリル酸エステル樹脂や、フェノール系樹脂等を用いてもよく、特に限定しない。また、接合方法も、熱硬化型、紫外線硬化型、電子線硬化型、熱可塑型等を用いてもよく、さらに、その厚さは、５〜２００μｍの範囲内が望ましい。
支持板２４０は、拡散光学シート２２０よりも観察面側に配置され、接合層２３１によって拡散光学シート２２０と一体に接合されている。接合層２３１は、上述した接合層２３０と同様に、感圧粘着型のアクリル樹脂により形成され、その厚さは２０μｍである。
本実施例の支持板２４０は、アクリル樹脂によって形成された厚さ２ｍｍの板状の部材であり、透過型スクリーン２００のスクリーンとしての平面性を保つ機能を有している。また、拡散光学シート２２０よりも観察面側に積層することにより、単位光学形状２２２ａ及び光吸収部２２２ｂの破損を防止する機能も有している。
なお、本実施例では、支持板２４０は、アクリル樹脂を用いて形成される例を示したが、ＭＳ樹脂等を用いてもよい。また、プリズムシート１１０と拡散光学シート２２０を接合した状態でスクリーンとしての平面性を維持できるならば、支持板２４０を用いなくともよい。
【００３４】
本実施例によれば、拡散光学シート２２０は、観察面側に光吸収部２２２ｂが配列されており、観察面側から入射した照明光等の外光を光吸収部２２２ｂによって吸収させることが出来るので、外光の映り込み防止効果が期待でき、また、プリズムシート１１０に入射する外光量を低減することができる。
また、プリズムシート１１０と拡散光学シート２２０とを積層して１枚の透過型スクリーン２００としたので、それぞれ別体として組み合わせて１組の透過型スクリーンとした場合に温度や湿度等の変化によって生じ易いシート間の浮きは、生じない。従って、シート間の浮き等に起因する像ぼけが生じ難く、平面性が高く、良好な映像を表示できる。
【００３５】
（変形例）
以上説明した実施例に限定されることなく、種々の変形や変更が可能であって、それらも本発明の均等の範囲内である。
（１）実施例１において、プリズムシート１１０よりも観察面側に設けられる拡散部として、プリズムシート１１０とは別体のレンチキュラーレンズシート１２０が設けられる例を示したが、これに限らず、例えば、実施例２に示した拡散光学シート２２０と同様の形態の光学シートを、プリズムシート１１０の観察面側に別体として配置し、１組の透過型
スクリーンとしてもよい。
また、水平方向に拡散する作用を有した光学シートと、垂直方向に拡散する作用を有した光学シートとを組み合わせて拡散部として用いて、視野角の向上とコントラストの向上を図ってもよい。
【００３６】
（２）実施例２において、拡散部として、水平方向に光を拡散する拡散光学シート２２０をプリズムシート１１０の観察面側に積層する例を示したが、これに限らず、例えば、単位光学形状２２２ａと同様の形状の単位光学形状が、その長手方向がスクリーンの水平方向に一致して配置され、スクリーン面に沿って垂直方向に単位光学形状と光吸収部とが交互に配列された拡散光学層を有する第２の拡散光学シートと、拡散光学シート２２０とをプリズムシート１１０の観察面側に積層して、１枚の透過型スクリーンとしてもよい。
上述のような第２の拡散光学シートは、拡散光学シート２２０が光を拡散する方向に対して直交する方向に光を拡散するので、透過型スクリーンの視野角の向上が期待できる。また、外光吸収作用もあり、外光の映り込みやコントラストの低下を防止できる。
【００３７】
（３）各実施例において、第３の面１１１ａ−１は、平面である例を示したが、これに限らず、例えば、曲面であってもよいし、いくつかの平面又は曲面を用いて形成されてもよいし、曲面と平面とを組み合わせて形成されていてもよい。
また、各実施例において、第３の面１１１ａ−１は、全反射面１１１ａ−２側の端部が入射面１１１ａ−２側の端部よりも観察面側となるように傾斜している例を示したが、これに限らず、例えば、シート面に平行であってもよい。
【００３８】
（４）各実施例において、光源装置２０は、ＤＭＤを用いた単管方式の光源装置である例を示したが、これに限らず、例えば、ＬＣＤ（Liquid Crystal Display）を用いた光源装置や、ＬＣＯＳ（Liquid Crystal On Silicon）等を用いた反射型の光源装置を用いてもよい。
【００３９】
（５）各実施例において、映像光Ｌは、透過型スクリーン１００，２００に対して上方から斜めに入射する例を示したが、これに限らず、例えば、透過型スクリーン１００，２００の使用状態を各実施例とは上下反対方向とし、映像光Ｌを透過型スクリーン１００，２００に対して下方から投射してもよい。この場合、下方から透過型スクリーン１００，２００に入射する外光に対するコントラストの低下防止効果が得られる。よって、照明光等の主となる外光の位置等、透過型スクリーンが使用される環境によって、適宜選択してよい。
【００４０】
（６）実施例２において、光吸収部２２２ｂは、単位光学形状２２２ａよりも屈折率の低い樹脂を着色して用いる例を示したが、これに限らず、例えば、黒色等の微小ビーズを単位光学形状２２２ａよりも屈折率の低い樹脂に混練して形成してもよいし、黒色インク等を単位光学形状２２２ａの斜面部分に塗布して形成してもよい。
【００４１】
（７）実施例２において、プリズムシート１１０と拡散光学シート２２０とが接合層２３０によって接合されている例を示したが、これに限らず、例えば、アクリル樹脂等で形成された１枚の基材層の光源側にプリズム層１１１を形成し、観察面側に拡散光学層２２２を形成してもよい。
【００４２】
（８）各実施例において、透過型スクリーン１００，２００の最も観察面側に、反射防止，紫外線吸収，防眩，帯電防止，防汚，ハードコート，着色，減光，センサ等の機能を有した前面板等を設けたり、それらの機能を有する層を積層したりする等して、透過型スクリーンの機能性の向上を図ってもよい。
【００４３】
（９）各実施例において、基材層１１２は、ＰＥＴ樹脂を用いる例を示したがこれに限らず、アクリル樹脂、ポリエチレン樹脂、ポリカーボネート樹脂等を用いてもよい。
【図面の簡単な説明】
【００４４】
【図１】実施例１のリアプロジェクションテレビ１を示す図である。
【図２】実施例１の透過型スクリーン１００の斜視図である。
【図３】プリズム層１１１の断面図である。
【図４】実施例１のプリズムシート１１０，比較例のプリズムシート３１０に入射する映像光の様子を示す図である。
【図５】比較例のプリズムシート３１０に外光が入射する様子を示す図である。
【図６】実施例１のプリズムシート１１０に外光が入射する様子を示す図である。
【図７】実施例２の透過型スクリーン２００を示す斜視図である。
【図８】拡散光学シート２２０を説明する図である。
【符号の説明】
【００４５】
１    リアプロジェクションテレビ
１０    透過型スクリーン
２０    光源装置
３０    ミラー部
１１０    プリズムシート
１１１ａ    単位プリズム形状
１１１ａ−１    入射面
１１１ａ−２    全反射面
１１１ａ−３    第３の面
１２０    レンチキュラーレンズシート
２２０    拡散光学シート
【図１】
2008122621.tif 000003
【図２】
2008122621.tif 000004
【図３】
2008122621.tif 000005
【図４】
2008122621.tif 000006
【図５】
2008122621.tif 000007
【図６】
2008122621.tif 000008
【図７】
2008122621.tif 000009
【図８】
2008122621.tif 000010